(57)【特許請求の範囲】
【請求項１】
エンジンと、
前記エンジンの第１被冷却機構を冷却するための第１冷却媒体を有し、温水利用設備から出力される第１温度の水を前記第１冷却媒体と熱交換することにより、前記第１温度より高い第２温度の水を出力する第１クーラーと、
前記第２温度の水を前記エンジンの排気ガスと熱交換することにより、前記第２温度より高い第３温度の水を出力するとともに前記温水利用設備に供給する熱交換器と、
前記第１冷却媒体の温度が前記第１クーラーの前記第１温度の水が供給される側の温度より低い場合、前記第１温度の水を前記熱交換器に供給させる第１弁装置と、
を備えることを特徴とするエンジンの排熱回収装置。
【請求項２】
前記エンジンの第２被冷却機構を冷却するための第２冷却媒体を有し、前記温水利用設備から出力される前記第１温度の水を前記第２冷却媒体と熱交換することにより、前記第１温度より高い第４温度の水を出力するとともに前記熱交換器に供給する第２クーラー
を更に備えることを特徴とする請求項１に記載のエンジンの排熱回収装置。
【請求項３】
前記第１弁装置の前記第１温度の水が流入する側に設けられ、前記第２冷却媒体の温度が前記第２クーラーの前記第１温度の水が供給される側の温度より低い場合、前記第２クーラーに供給される前記第１温度の水を前記第１弁装置の方に供給させる第２弁装置
を更に備えることを特徴とする請求項２に記載のエンジンの排熱回収装置。
【請求項４】
前記第２弁装置の前記第１温度の水が流入する側に設けられ、前記温水利用設備から出力される前記第１温度の水を蓄えた後に前記第２弁装置に出力する貯水槽
を更に備えることを特徴とする請求項３に記載のエンジンの排熱回収装置。
【請求項５】
前記第２クーラーの前記第４温度の水が出力される側の温度が、前記第１クーラーの第２温度の水が出力される側の温度より低い場合、前記第４温度の水を前記貯水槽に供給させる第３弁装置
を更に備えることを特徴とする請求項４に記載のエンジンの排熱回収装置。
【請求項６】
前記温水利用設備とは異なる設備から出力され、前記第１および第２冷却媒体の温度より低い第５温度の水を、前記第１および第２クーラーのうち少なくとも一方に供給させる第４弁装置
を更に備えることを特徴とする請求項５に記載のエンジンの排熱回収装置。
【請求項７】
前記第４弁装置は、前記第１クーラーの前記第１温度の水が供給される側の温度が前記第１冷却媒体の許容温度より高い場合、かつ、前記第２クーラーの前記第１温度の水が供給される側の温度が前記第２冷却媒体の許容温度より高い場合に、前記第５温度の水を前記第１および第２クーラーに供給することを特徴とする請求項６に記載のエンジンの排熱回収装置。
【請求項８】
前記第４弁装置は、前記第１および第２クーラーに供給される前記第１温度の水の流量がそれぞれ所定の流量以下になった場合に、前記第５温度の水を前記第１および第２クーラーに供給することを特徴とする請求項６に記載のエンジンの排熱回収装置。
【請求項９】
前記貯水槽に蓄えられた水の量が所定量以下になった場合、前記第５温度の水を前記貯水槽に供給させる第５弁装置
を更に備えることを特徴とする請求項６〜８のいずれかに記載のエンジンの排熱回収装置。
【請求項１０】
前記第１クーラーは、前記エンジンの冷却水を冷却する冷却水クーラーであることを特徴とする請求項１〜９のいずれかに記載のエンジンの排熱回収装置。
【請求項１１】
前記第２クーラーは、前記エンジンの潤滑油を冷却する潤滑油クーラーであることを特徴とする請求項２〜９のいずれかに記載のエンジンの排熱回収装置。
【請求項１２】
前記温水利用設備は、バイナリー発電装置であることを特徴とする請求項１〜１１のいずれかに記載のエンジンの排熱回収装置。
【発明の詳細な説明】
【技術分野】
【０００１】
本発明は、エンジンの排熱回収装置に関する。
【背景技術】
【０００２】
例えば、エンジンの冷却水および排気ガスのそれぞれの通路に熱交換器を備え、動作流体を冷却水用の熱交換器で昇温した後に排気ガス用の熱交換器で更に昇温することによって冷却水および排気ガスから熱を回収する装置が知られている（例えば、特許文献１参照）。回収された熱は、給湯設備や他の発電設備の熱源として利用される。
【先行技術文献】
【特許文献】
【０００３】
【特許文献１】特開平１０−１４１１３７号公報
【発明の概要】
【発明が解決しようとする課題】
【０００４】
しかしながら、上述したようなエンジンの熱の回収装置には、冷却水の温度が熱交換器の温度より低い場合、次のような問題がある。【０００５】
つまり、エンジンが始動するとき、冷却水用の熱交換器は冷却水から熱を回収しない。却って、冷却水用の熱交換器は動作流体から熱を奪うおそれがあり、エンジンの排熱の有効利用に反する。【０００６】
また、エンジンが定常運転されているとき、冷却水用の熱交換器は、動作流体から熱を奪って冷却水に与えるおそれがある。冷却水の温度が上昇して上限値を超え、エンジンがオーバーヒートし、その結果、エンジンやその周辺機器が損傷するおそれがある。
【課題を解決するための手段】
【０００７】
前述した課題を解決する主たる本発明は、エンジンと、前記エンジンの第１被冷却機構を冷却するための第１冷却媒体を有し、温水利用設備から出力される第１温度の水を前記第１冷却媒体と熱交換することにより、前記第１温度より高い第２温度の水を出力する第１クーラーと、前記第２温度の水を前記エンジンの排気ガスと熱交換することにより、前記第２温度より高い第３温度の水を出力するとともに前記温水利用設備に供給する熱交換器と、前記第１冷却媒体の温度が前記第１クーラーの前記第１温度の水が供給される側の温度より低い場合、前記第１温度の水を前記熱交換器に供給させる第１弁装置と、を備える。【０００８】
本発明の他の特徴については、添付図面及び本明細書の記載により明らかとなる。
【発明の効果】
【０００９】
本発明によれば、エンジンの排熱を有効に利用するとともにエンジンとその周辺機器を保護することができる。
【図面の簡単な説明】
【００１０】
【図１】本発明の実施形態におけるエンジンの排熱回収装置の概略を示す。
【図２】エンジンが定常運転を行っている場合における排熱回収装置の水の流れの一例を示す。
【図３】エンジンが定常運転を行っている場合における排熱回収装置の水の流れの他の例を示す。
【図４】エンジンが定常運転を行っている場合における排熱回収装置の水の流れの更に他の例を示す。
【図５】エンジンが始動した際における排熱回収装置の水の流れの一例を示す。
【図６】エンジンが始動した際における排熱回収装置の水の流れの他の例を示す。
【図７】排熱回収装置が過熱している場合における水の流れの一例を示す。
【図８】排熱回収装置が過熱している場合における水の流れの他の例を示す。
【図９】本発明の実施形態における排熱回収装置が接続される設備の一例を示す。
【発明を実施するための形態】
【００１１】
本明細書および添付図面の記載により、少なくとも以下の事項が明らかとなる。
【００１２】
図１〜図９を参照して、本発明の実施形態における排熱回収装置について説明する。なお、本実施形態において、排熱回収装置１の排気ガス熱交換器２から出力された水は、バイナリー発電装置８で利用され、排熱回収装置１の貯水槽６に回収されるものとする。また、本実施形態におけるエンジン７１は発電機７２の原動機として用いられる。エンジン７１の冷却水は、エンジン７１と冷却水クーラー３との間をポンプＰ３によって循環させられる間に冷却され、エンジン７１の潤滑油は、エンジン７１と潤滑油クーラー４との間をポンプＰ４によって循環させられる間に冷却されるものとする。
【００１３】
＝＝＝構成＝＝＝  
図１は、本発明の実施形態における排熱回収装置の概略図である。排熱回収装置１は、図１に示されるように、排気ガス熱交換器２、冷却水クーラー３、潤滑油クーラー４、弁５１〜５５、および、貯水槽６を備えている。なお、排熱回収装置１の各構成要素は後述するように他の構成要素と繋がっているところ、構成要素同士は、例えば水管を介して繋がっているものとする。
【００１４】
排熱回収装置１において、動作媒体である水は、後述する予熱系統で予熱された後、排気ガス熱交換器２で加熱されて、バイナリー発電装置８に送られる。排熱回収装置１は、貯水槽６から弁５１，５２、冷却水クーラー３を経て排気ガス熱交換器２に至る主予熱系統と、貯水槽６から弁５１、潤滑油クーラー４、弁５４を経て排気ガス熱交換器２に至る副予熱系統とを有する。また、排熱回収装置１は、弁５３、５５を介して冷却水を冷却水クーラー３、潤滑油クーラー４および貯水槽６に供給する冷却水供給系統を有している。
【００１５】
＜主予熱系統＞  
主予熱系統は、上述したとおり、貯水槽６から弁５１，５２，冷却水クーラー３を経て排気ガス熱交換器２に至る。
【００１６】
具体的に述べると、貯水槽６は、バイナリー発電装置８から出力された水を蓄える装置であって、水管を介してバイナリー発電装置８における水の出力口と繋がっている。また、貯水槽６は、冷却水クーラー３および潤滑油クーラー４から戻される水を回収するとともに、弁５５から補給される冷却水を受け入れる。貯水槽６は、上述のようにして水を蓄えた後、蓄えた水を弁５１に出力する。
【００１７】
貯水槽６は、貯水槽６の水位を測定する水位センサ６１を有している。水位センサ６１は、測定値が所定の下限を下回った場合、弁５５を介して冷却水が補給されるように制御装置５９に測定信号を出力する。
【００１８】
また、貯水槽６における水の出力口には、温度センサ６２が設けられている。温度センサ６２は、貯水槽６から出力される水の温度Ｔ１を測定し、制御装置５９に出力する。なお、バイナリー発電装置８から貯水槽６に流入する水の温度は、例えば摂氏８０度ほどである。
【００１９】
貯水槽６から出力された水は、ポンプＰ１によって弁５１、５２を経て冷却水クーラー３に送られる。弁５１，５２については後述する。
【００２０】
冷却水クーラー３は、エンジン７１の燃焼室周囲を冷却するための冷却媒体として冷却水を有し、エンジン７１の冷却水を貯水槽６から出力された水と熱交換することによって、エンジン７１の冷却水を冷却するとともに、貯水槽６からの水を予熱して排気ガス熱交換器２に出力する装置である。冷却水クーラー３における水の流入口は、弁５２における水の出力口と繋がっており、冷却水クーラー３における水の出力口は、排気ガス熱交換器２における水の流入口に繋がっている。
【００２１】
また、冷却水クーラー３は、弁５３を介して冷却水が供給されるように冷却水流入口を有するとともに、冷却水クーラー３において昇温された冷却水が貯水槽６に出力されるように冷却水出力口を有する。
【００２２】
冷却水クーラー３は、２つの温度センサ３１，３２を有している。温度センサ３１は、冷却水クーラー３の温度Ｔ２を測定して、測定信号を制御装置５９に出力する。温度センサ３２は、冷却水クーラー３における水の出力口に設けられ、冷却水クーラー３から出力される水の温度Ｔ３を測定し、制御装置５９に出力する。また、冷却水クーラー３は、流量計３３を有している。流量計３３は、冷却水クーラー３に流入する水の流量を測定し、測定値が所定の下限を下回る場合、弁５３から冷却水の補給を受けるべく制御装置５９に出力する。
【００２３】
冷却水クーラー３において予熱された水は、排気ガス熱交換器２に出力される。例えば、バイナリー発電装置８から出力された水が約摂氏８０度の温度である場合、水は貯水槽６において多少放熱し、摂氏７０度ほどの温度で貯水槽６から出力される。このような温度の水が、摂氏９０度を上限の温度とする冷却水クーラー３において予熱されて出力される。
【００２４】
排気ガス熱交換器２は、冷却水クーラー３で予熱された水を、エンジン７１の排気ガスと熱交換することで加熱する装置である。排気ガス熱交換器２における水の出力口はバイナリー発電装置８における水の流入口に繋がっており、排気ガス熱交換器２によって加熱された水は、バイナリー発電装置８に出力される。例えば、本実施形態におけるエンジン７１の排気ガスは摂氏５００度ほどであり、熱交換後の水の温度は、バイナリー発電装置８において必要とされる摂氏９５度を優に超える。エンジン７１の排気ガスは、排気ガス熱交換器２における熱交換によって摂氏２００〜３００度まで温度を低下された後、大気に放出される。
【００２５】
＜副予熱系統＞  
副予熱系統は、上述したとおり、貯水槽６から弁５１、潤滑油クーラー４、弁５４を経て排気ガス熱交換器２に至る。
【００２６】
具体的には、潤滑油クーラー４は、エンジン７１の内部を冷却するための冷却媒体として潤滑油を有し、エンジン７１の潤滑油を貯水槽６から出力された水と熱交換することによって、エンジン７１の潤滑油を冷却するとともに、貯水槽６からの水を予熱して出力する装置である。潤滑油クーラー４における水の流入口は、弁５１における水の一方の出力口に繋がり、また、潤滑油クーラー４における水の出力口は、弁５４における水の流入口に繋がっている。そして、弁５４における水の一方の出力口は、排気ガス熱交換器２に繋がっている。したがって、貯水槽６から弁５１を介して潤滑油クーラー４に供給された水は、潤滑油クーラー４において予熱された後、加熱のために排気ガス熱交換器２に出力されるか、後述するように、更なる予熱のために貯水槽６に回収される。
【００２７】
潤滑油クーラー４は、２つの温度センサ４１，４２を有する。温度センサ４１は、潤滑油クーラー４の温度Ｔ４を測定し、制御装置５９に出力する。温度センサ４２は、潤滑油クーラー４における水の出力口に設けられ、潤滑油クーラー４から出力される水の温度Ｔ５を測定して制御装置５９に出力する。また、潤滑油クーラー４は流量計４３を有している。流量計４３は、潤滑油クーラー４に流入する水の流量を測定し、測定値が所定の下限を下回る場合、弁５３から冷却水の補給を受けるべく制御装置５９に出力する。
【００２８】
＜冷却水供給系統＞  
冷却水供給系統は、上述したとおり、弁５３、５５を介して冷却水を冷却水クーラー３、潤滑油クーラー４および貯水槽６に供給する。冷却水は、バイナリー発電装置８とは異なる設備、例えば上水道から供給される。また、スケールの発生を防止する観点から、冷却水として真水が用いられることが好ましい。
【００２９】
具体的には、弁５５の冷却水流入口はポンプＰ２を介して例えば上水道に繋がっており、弁５５の一方の冷却水出力口は貯水槽６の冷却水流入口に、他方の冷却水出力口は弁５３の冷却水流入口に繋がっている。弁５３の一方の冷却水出力口は冷却水クーラー３の冷却水流入口に、他方の冷却水出力口は潤滑油クーラー４の冷却水流入口に繋がっている。
【００３０】
したがって、冷却水は、後述する条件の下、弁５３を介して冷却水クーラー３および潤滑油クーラー４に、また、弁５５を介して貯水槽６に、それぞれ供給される。
【００３１】
＜弁＞  
弁５１、５２、５４は、主および副予熱系統における水の流れを調節する装置であり、弁５３、５５は、冷却水供給系統における冷却水の流れを調節する装置である。弁５１〜５５は制御装置５９の出力に基づいて動作する。
【００３２】
具体的には、弁５１は、貯水槽６から供給された水を弁５２および潤滑油クーラー４に振り分けて出力する装置である。したがって、弁５１は、貯水槽６からの水が流入する１つの流入口と、水が弁５２および潤滑油クーラー４の側にそれぞれ出力される２つの出力口を有する。
【００３３】
弁５１から出力される水の配分は、状況に応じて変更される。水は、例えば、弁５２側に全て出力されたり、潤滑油クーラー４側に全て出力されたりしてもよいし、弁５２側に１／２、潤滑油クーラー４側に１／２でもよく、あるいは、弁５２側に１／３、潤滑油クーラー４側に２／３でもよい。排熱回収装置１が通常運転を行っているとき、弁５１は、弁５２側にも潤滑油クーラー４側にも水が出力されるように制御される。
【００３４】
また、弁５１における弁５２側の出力口には、温度センサ５１１が設けられている。温度センサ５１１は、弁５１から弁５２側に出力される水の温度Ｔ６を測定し、制御装置５９に出力する。
【００３５】
弁５２は、弁５１と冷却水クーラー３とを繋ぐ流路に設けられ、冷却水クーラー３の温度Ｔ２が弁５１から弁５２側に出力された水の温度Ｔ６より低い場合、温度Ｔ６の水を排気ガス熱交換器２に供給させる装置である。つまり、弁５２は、上述の場合に、貯水槽６からの水を冷却水クーラー３を経ることなく排気ガス熱交換器２に供給するような流路を形成する。それ以外の場合、弁５２は、温度Ｔ６の水を冷却水クーラー３に供給させる。
【００３６】
弁５３は、主および副予熱系統が過熱したとき、冷却水を冷却水クーラー３および潤滑油クーラー４に供給させる装置である。具体的には、冷却水クーラー３の温度Ｔ２が所定の許容温度を超える場合、かつ、潤滑油クーラー４の温度Ｔ４が所定の許容温度を超える場合に、弁５３は動作する。また、弁５３は、冷却水クーラー３および潤滑油クーラー４のそれぞれに供給される水の流量がそれぞれ所定の下限を下回る場合にも、冷却水を冷却水クーラー３および潤滑油クーラー４に供給させる。これら２つ以外の場合、弁５３は動作しないように設定するが、状況に応じ、動作するようにしてもよい。
【００３７】
弁５４は、潤滑油クーラー４から出力された水を、排気ガス熱交換器２と貯水槽６のいずれかに供給する装置である。つまり、弁５４は、潤滑油クーラー４から出力される水の温度Ｔ５が、冷却水クーラー３から出力される水の温度Ｔ３よりも低い場合、潤滑油クーラー４から出力された水を貯水槽６に回収させ、それ以外の場合には、排気ガス熱交換器２に供給させる。
【００３８】
弁５５は、貯水槽６の水位が所定の下限を下回る場合、冷却水を貯水槽６に供給させる装置である。
【００３９】
＜制御装置＞
制御装置５９は、温度センサ３１、３２、４１、４２、６２、５１１、流量計３３、４３、水位センサ６１から出力される測定信号に基づいて、弁５１〜５５を制御する装置である。
【００４０】
具体的には、制御装置５９は、温度センサ４１によって測定された潤滑油クーラー４の温度Ｔ４と、温度センサ６２によって測定された貯水槽６から出力される水の温度Ｔ１とを比較し、温度Ｔ４が温度Ｔ１よりも高い場合、貯水槽６から出力される水が熱交換のために潤滑油クーラー４に供給されるように弁５１を制御する。一方、温度Ｔ４が温度Ｔ１より低い場合には、制御装置５９は、貯水槽６からの水が弁５２の方に供給されるように弁５１を制御する。
【００４１】
また、制御装置５９は、温度センサ３１によって測定された冷却水クーラー３の温度Ｔ２と、温度センサ５１１によって測定された、弁５１から弁５２側に出力される水の温度Ｔ６とを比較し、温度Ｔ２が温度Ｔ６よりも低い場合、弁５１から供給される水が冷却水クーラー３を経由することなく排気ガス熱交換器２に供給されるよう弁５２を制御する。一方、温度Ｔ２が温度Ｔ６より高い場合、制御装置５９は、弁５１から供給される水が冷却水クーラー３に供給されるよう弁５２を制御する。
【００４２】
制御装置５９は、温度センサ３１によって測定された冷却水クーラー３の温度Ｔ２が冷却水クーラー３の許容温度を超える場合、かつ、温度センサ４１によって測定された潤滑油クーラー４の温度Ｔ４が潤滑油クーラー４の許容温度を超える場合、弁５３から冷却水クーラー３および潤滑油クーラー４に冷却水を供給するように弁５３を制御する。また、制御装置５９は、流量計３３によって測定された冷却水クーラー３を流れる水の流量が所定の下限を下回る場合、および、流量計４３によって測定された潤滑油クーラー４を流れる水の流量が所定の下限を下回る場合にも、冷却水クーラー３および潤滑油クーラー４に冷却水を供給するように弁５３を制御する。これら２つの場合以外には、制御装置５９は、冷却水を冷却水クーラー３にも潤滑油クーラー４にも供給しないように弁５３を制御する。例えば、発電用エンジンの場合、エンジン７１の冷却水および潤滑油は摂氏２００〜３００度ほどの温度に達するが、冷却水クーラー３および潤滑油クーラー４の許容温度はそれぞれ摂氏９５度ほどである。
【００４３】
さらに、制御装置５９は、温度センサ３２によって測定された冷却水クーラー３から出力される水の温度Ｔ３と、温度センサ４２によって測定された潤滑油クーラー４から出力される水の温度Ｔ５とを比較し、温度Ｔ３が温度Ｔ５より高い場合、潤滑油クーラー４から出力される温度Ｔ５の水が貯水槽６に回収されるように弁５４を制御する。一方、制御装置５９は、温度Ｔ３が温度Ｔ５より低い場合、潤滑油クーラー４から出力される温度Ｔ５の水が排気ガス熱交換器２に供給されるように弁５４を制御する。
【００４４】
制御装置５９は、水位センサ６１によって測定された貯水槽６の水位が所定の下限を下回る場合、貯水槽６に冷却水を補給するよう弁５５を制御する。
【００４５】
＜バイナリー発電装置＞  
本実施形態において、排熱回収装置１において加熱された水は、バイナリー発電装置８において利用される。つまり、本実施形態では、エンジン７１を原動機として発電すると同時に、エンジン７１の排熱を利用して更に発電する多段式発電システムが構成されている。
【００４６】
バイナリー発電装置８は、図９に示されるように、蒸発器８１，タービン８２，凝縮器８３，発電機８４，インバータ８５，コンバータ８６およびクーリングタワー８７を備えている。バイナリー発電装置８に入力される水の適切な温度は、例えば摂氏９５度ほどである。また、バイナリー発電装置８から出力される温水の温度は、例えば摂氏８３度ほどである。
【００４７】
排熱回収装置１の排気ガス熱交換器２から出力された水は、バイナリー発電装置８の蒸発器８１に導かれる。そして、蒸発器８１においてバイナリー発電装置８の動作媒体に熱を与えた後、排熱回収装置１の貯水槽６に戻される。
【００４８】
バイナリー発電装置８の動作媒体は、蒸発器８１において加熱されて蒸発する。気化した動作媒体は、タービン８２に導かれ、タービン８２を回転させた後、凝縮器８３において液化される。液化された動作媒体は、ポンプＰ６によって再び蒸発器８１に送られる。
【００４９】
タービン８２は発電機８４の原動機であり、タービン８２の回転によって発電機８４は発電する。発電機８４によって発電された電力は、インバータ８５およびコンバータ８６を経て送電系統に送電される。
【００５０】
＝＝＝動作＝＝＝  
図２〜図８を参照して、本発明の実施形態における排熱回収装置の動作を説明する。
【００５１】
＜エンジンが定常運転している時＞
図２〜図４は、エンジンが定常運転を行っている状態における予熱系統の水および冷却水供給系統の冷却水の流れを太線で示している。
【００５２】
図２は、エンジンが定常運転されている状態における水の基本的な流れを示す。この場合、冷却水クーラー３および潤滑油クーラー４の温度Ｔ２，Ｔ４は、それぞれ許容温度より低く、また、貯水槽６および弁５１から出力される水の温度Ｔ１，Ｔ６より高い。また、冷却水クーラー３から出力される水の温度Ｔ３は、潤滑油クーラー４から出力される水の温度Ｔ５より低い。貯水槽６の水位は下限を上回っており、また、冷却水クーラー３および潤滑油クーラー４にそれぞれ流入する水の流量は下限を上回っている。
【００５３】
このとき、制御装置５９は、温度センサ６２および４１からの測定信号を比較し、温度Ｔ１の方が温度Ｔ４より低いと判定する。そして、制御装置５９は、弁５１に供給される水が冷却水クーラー３および潤滑油クーラー４の両方に流れるように弁５１を制御する。
【００５４】
また、制御装置５９は、温度センサ５１１および３１からの測定信号を比較し、温度Ｔ６の方が温度Ｔ２より低いと判定する。そして、制御装置５９は、弁５２に供給される水が冷却水クーラー３に流れるように弁５２を制御する。
【００５５】
また、制御装置５９は、温度センサ３２および４２からの測定信号を比較し、温度Ｔ３の方が温度Ｔ５より低いと判定する。そして、制御装置５９は、弁５４に供給される水が排気ガス熱交換器２に流れるように弁５４を制御する。
【００５６】
制御装置５９は、水位センサ６１の測定信号から貯水槽６の水位は下限を上回っていると判定し、貯水槽６に冷却水が供給されないように弁５５を制御する。また、制御装置５９は、流量計３３と４３の測定信号から、冷却水クーラー３および潤滑油クーラー４にそれぞれ流入する水の流量は下限を上回っていると判定し、冷却水クーラー３にも潤滑油クーラー４にも冷却水が供給されないように弁５３を制御する。
【００５７】
その結果、水は、主予熱系統と副予熱系統とを流れた後に排気ガス熱交換器２で加熱される。冷却水供給系統に冷却水は流れない。
【００５８】
図３は、エンジンが定常運転されている状態において、冷却水クーラー３から出力される水の温度Ｔ３が、潤滑油クーラー４から出力される水の温度Ｔ５よりも高い場合における水の流れを示す。制御装置５９は、温度センサ３２および４２の測定信号を比較して、温度Ｔ３が温度Ｔ５よりも高いと判定し、潤滑油クーラー４から出力される水を貯水槽６に流すように弁５４を制御する。
【００５９】
その結果、主予熱系統を流れる水は排気ガス熱交換器２において加熱されるが、副予熱系統を流れる水は、再度の予熱のため貯水槽６に回収される。冷却水クーラー３で予熱された水に、それよりも温度の低い潤滑油クーラー４からの水を合流させることで、冷却水クーラー３からの水の温度を低下させないようにするため、つまり、熱の有効利用のためである。
【００６０】
図４は、エンジンが定常運転されている状態において、貯水槽６の水位が所定の下限を下回ったときの水および冷却水の流れを示す。制御装置５９は、水位センサ３１からの測定信号に基づいて、貯水槽６の水位が下限を下回っていると判定し、貯水槽６に冷却水を供給するように弁５５を制御する。その結果、貯水槽６の水位が下限を上回るまで、弁５５を介して冷却水が補給される。
【００６１】
＜エンジンが始動する時＞
図５および図６は、エンジン７１が始動した時における予熱系統の水および冷却水供給系統の冷却水の流れを太線で示している。
【００６２】
図５は、エンジン７１が始動した時における水の基本的な流れを示す。この場合、冷却水クーラー３の温度Ｔ２は、弁５１から弁５２側に出力される水の温度Ｔ６よりも低い。制御装置５９は、温度センサ３１および５１１からの測定信号を比較し、温度Ｔ２が温度Ｔ６よりも低いと判定し、弁５１から流入した水を排気ガス熱交換器２に供給させるように弁５２を制御する。
【００６３】
また、潤滑油クーラー４の温度Ｔ４は、貯水槽６から出力される水の温度Ｔ１よりも低い。制御装置５９は、温度センサ４１および６２からの測定信号を比較し、温度Ｔ４が温度Ｔ１よりも低いと判定して、貯水槽６から流入した水を弁５２に供給させるように弁５１を制御する。
【００６４】
その結果、貯水槽から出力された水は、弁５１，５２を経て排気ガス熱交換器２に供給される。これにより、冷却されるべきエンジン７１の冷却水に熱を与える事態を回避することができる。また、予熱されるべき貯水槽６からの水が冷却水クーラー３で熱を奪われることを回避することができ、熱の有効利用が図られる。
【００６５】
図６は、エンジン７１が始動した時に、貯水槽６の水位が下限に満たない状態における水および冷却水の流れを示す。制御装置５９は、水位センサ３１からの測定信号に基づいて、貯水槽６の水位が下限に満たないと判定し、貯水槽６に冷却水を供給させるように弁５５を制御する。その結果、貯水槽６の水位が下限を上回るまで、弁５５を介して冷却水が補給される。
【００６６】
＜排熱回収装置の主および副予熱系統が過熱している時＞
図７および図８は、排熱回収装置１の主および副予熱系統が過熱している時における予熱系統の水および冷却水供給系統の冷却水の流れを太線で示している。
【００６７】
図７は、排熱回収装置１の主および副予熱系統が過熱している時の、水の基本的な流れを示す。この場合、冷却器クーラー３および潤滑油クーラー４の温度Ｔ２，Ｔ４は、冷却器クーラー３および潤滑油クーラー４のそれぞれの許容温度を超えている。制御装置５９は、温度センサ３１および４１からの測定信号を比較し、温度Ｔ２およびＴ４はそれぞれの許容温度を超えていると判定する。制御装置５９は、弁５３に冷却水が供給されるように弁５５を制御するとともに、冷却水クーラー３および潤滑油クーラー４に冷却水が供給されるように弁５３を制御する。
【００６８】
また、貯水槽６から出力される水の温度Ｔ１は、潤滑油クーラー４の温度Ｔ４より高い。制御装置５９は、温度センサ６２および４１の測定結果を比較し、温度Ｔ１の方が温度Ｔ４より高いと判定し、貯水槽６から出力された水を弁５２に供給させるように弁５１を制御する。
【００６９】
さらに、弁５１から出力される水の温度Ｔ６は、冷却水クーラー３の温度Ｔ２よりも高い。制御装置５９は、温度センサ５１１および３１の測定信号を比較し、温度Ｔ６の方が温度Ｔ２より高いと判定し、弁５１から出力された水を排気ガス熱交換器２に供給させるように弁５２を制御する。
【００７０】
その結果、貯水槽から出力された水は、弁５１，５２を経て排気ガス熱交換器２に供給される。また、冷却水クーラー３および潤滑油クーラー４に冷却水が供給され、これら機器が冷却される。このようにして供給された冷却水は、冷却水クーラー３および潤滑油クーラー４から貯水槽６に回収される。
【００７１】
冷却水クーラー３および潤滑油クーラー４が過熱することによってエンジン７１がオーバーヒートし、エンジン７１とその周辺機器が損傷するおそれがあることから、冷却水クーラー３および潤滑油クーラー４の過熱を防ぐことで各種機器の保護が図られる。
【００７２】
図８は、排熱回収装置１の主および副予熱系統が過熱していることに加えて、貯水槽６の水位が下限を下回っている時の、水の流れを示す。制御装置５９は水位センサ６１の測定信号に基づいて弁５５を開くよう制御するため、冷却水が貯水槽６に供給される。これにより、過熱している主および副予熱系統の全体が冷却される。
【００７３】
前述したとおり、冷却水クーラー３は、エンジン７１の燃焼室周囲を冷却するための冷却媒体として冷却水を有し、温水利用設備から出力される第１温度の水をエンジン７１の冷却水と熱交換することにより、第１温度より高い第２温度の水を出力する。排気ガス熱交換器２は、第２温度の水をエンジン７１の排気ガスと熱交換することにより、第２温度より高い第３温度の水を出力するとともにバイナリー発電装置８に供給する。弁５２は、エンジン７１の冷却水の温度が冷却水クーラー３の第１温度の水が供給される側の温度より低い場合、第１温度の水を排気ガス熱交換器２に供給させる。したがって、温水利用設備側から供給された水は、弁５２を経て排気ガス熱交換器２に供給される。つまり、水は冷却水クーラー３を経由しない。これにより、冷却されるべきエンジン７１の冷却水に熱を与える事態を回避することができる。このことは、排熱回収装置１の予熱系統が過熱している場合に、エンジン７１のオーバーヒートおよびそれに伴うエンジン７１とその周辺機器の損傷を防止することに繋がる。また、予熱されるべき温水利用設備側からの水が冷却水クーラー３で熱を奪われることを回避することができ、熱の有効利用が図られる。
【００７４】
また、潤滑油クーラー４は、エンジン７１の内部を冷却するための冷却媒体として潤滑油を有し、温水利用設備から出力される第１温度の水を潤滑油と熱交換することにより、第１温度より高い第４温度の水を出力するとともに排気ガス熱交換器２に供給する。したがって、排熱回収装置１は、冷却水クーラー３および潤滑油クーラー４という２つの予熱付与手段を有し、熱の有効利用が図られる。
【００７５】
また、弁５１は、弁５２の第１温度の水が流入する側に設けられ、潤滑油の温度が潤滑油クーラー４の第１温度の水が供給される側の温度より低い場合、潤滑油クーラー４に供給される第１温度の水を弁５２の方に供給させる。これにより、冷却されるべきエンジン７１の潤滑油に熱を与える事態を回避することができる。このことは、排熱回収装置１の予熱系統が過熱している場合に、エンジン７１のオーバーヒートおよびそれに伴う各機器の損傷を防止することに繋がる。また、予熱されるべき温水利用設備側からの水が潤滑油クーラー４で熱を奪われることを回避することができ、熱の有効利用が図られる。
【００７６】
また、貯水槽６は、弁５１の第１温度の水が流入する側に設けられ、温水利用設備から出力される第１温度の水を蓄えた後に弁５１に出力する。したがって、排熱回収装置１の予熱系統を流れる水の量を調節することができ、排熱回収装置１を安定的に運用することができる。
【００７７】
また、弁５４は、潤滑油クーラー４の第４温度の水が出力される側の温度が、冷却水クーラー３の第２温度の水が出力される側の温度より低い場合、第４温度の水を貯水槽６に供給させる。したがって、冷却水クーラー３から出力された水は排気ガス熱交換器２において加熱されるが、潤滑油クーラー４から出力された水は、再度の予熱のため貯水槽６に回収される。冷却水クーラー３で予熱された水に、それよりも温度の低い潤滑油クーラー４からの水を合流させることで、冷却水クーラー３からの水の温度が低下することを回避することができ、熱の有効利用に役立つ。
【００７８】
また、弁５３は、上水道など、温水利用設備とは異なる設備から出力され、エンジン７１の冷却水および潤滑油の温度より低い第５温度の水を、冷却水クーラー３および潤滑油クーラー４のうち少なくとも一方に供給させる。これにより、冷却水クーラー３および潤滑油クーラー４に流れこむ水を確保することができ、排熱回収装置１の安定的な運転に役立つ。
【００７９】
弁５３は、冷却水クーラー３の第１温度の水が供給される側の温度がエンジン７１の冷却水の許容温度より高い場合、かつ、潤滑油クーラー４の第１温度の水が供給される側の温度が潤滑油の許容温度より高い場合に、第５温度の水を冷却水クーラー３および潤滑油クーラー４に供給することが好ましい。これにより、冷却水クーラー３および潤滑油クーラー４の過熱を防ぐことができ、エンジン７１のオーバーヒートおよびそれに伴うエンジン７１とその周辺機器の損傷が回避される。
【００８０】
また、弁５３は、冷却水クーラー３および潤滑油クーラー４に供給される第１温度の水の流量がそれぞれ所定の流量以下になった場合にも、第５温度の水を冷却水クーラー３および潤滑油クーラー４に供給することが好ましい。これにより、冷却水クーラー３および潤滑油クーラー４に流れこむ水の一定の流量を確保することができ、排熱回収装置１の安定的な運転に役立つ。
【００８１】
また、弁５５は、貯水槽６に蓄えられた水の量が所定量以下になった場合、第５温度の水を貯水槽６に供給させる。したがって、貯水槽６は所定量の水を貯めていることが確保される。このことは、貯水槽６から冷却水クーラー３および潤滑油クーラー４に水が安定的に供給されることを意味し、排熱回収装置１の安定的な運転に繋がる。
【００８２】
また、温水利用設備は、バイナリー発電装置であることが好ましい。これにより、エンジン７１からの排熱を利用して更に発電することが可能となり、エンジン７１の排熱の有効利用が図られる。
【００８３】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００８４】
例えば、第１クーラーおよび第２クーラーをそれぞれ冷却水クーラー３および潤滑油クーラー４と対応させて説明したが、冷却水クーラー３と潤滑油クーラー４とは入れ替わってもよい。
【００８５】
また、温水利用設備の他の例として温水プールが挙げられる。
【符号の説明】
【００８６】
１  排熱回収装置
２  排気ガス熱交換器
３  冷却水クーラー
４  潤滑油クーラー
５１〜５５  弁
６  貯水槽
【要約】
【課題】  エンジンの排熱を有効に利用するとともにエンジンとその周辺機器を保護することができる排熱回収装置を提供する。
【解決手段】  エンジンの排熱回収装置（１）は、エンジン（７１）を備える。また、前記エンジン（７１）の第１被冷却機構を冷却するための第１冷却媒体を有し、温水利用設備から出力される第１温度の水を前記第１冷却媒体と熱交換することにより、前記第１温度より高い第２温度の水を出力する第１クーラー（３）を備える。また、前記第２温度の水を前記エンジンの排気ガスと熱交換することにより、前記第２温度より高い第３温度の水を出力するとともに前記温水利用設備に供給する熱交換器（２）を備える。また、前記第１冷却媒体の温度が前記第１クーラー（３）の前記第１温度の水が供給される側の温度より低い場合、前記第１温度の水を前記熱交換器（２）に供給させる第１弁装置（５２）を備える。【図１】
0005563176.tif 000002
【図２】
0005563176.tif 000003
【図３】
0005563176.tif 000004
【図４】
0005563176.tif 000005
【図５】
0005563176.tif 000006
【図６】
0005563176.tif 000007
【図７】
0005563176.tif 000008
【図８】
0005563176.tif 000009
【図９】
0005563176.tif 000010